【手続補正書】
【提出日】平成17年1月17日(2005.1.17)
【手続補正１】
【補正対象書類名】明細書
【補正対象項目名】特許請求の範囲
【補正方法】変更
【補正の内容】
【特許請求の範囲】
【請求項１】
前面枠の下方に下部パネルを設け、該下部パネルに灰皿装置を取り付けた遊技機において、
前記灰皿装置は、
前記下部パネルに取り付けたベース部と、
該ベース部に、前方に突出した状態で取り付けた支持腕部と、
該支持腕部により左右両側から挟まれた状態で支持され、灰収納部側を上方に向けた第１状態と、前記灰収納部側を下方に向けた第２状態とに回動する灰皿本体と、から構成し、
該灰皿本体は、
左右両側方に突設し、前記第１状態において後方に向けて下り傾斜した板形状に形成した軸部と、
重心位置を設定するため当該灰皿本体の第１状態における底部に重り部材と、を備え、
前記支持腕部は、
その先端側に前記軸部を支持する軸受け部を形成し、
該軸受け部は、
後方に向けて下り傾斜した溝として形成され、前記灰皿本体が前記第１状態にて前記軸部が回動不能に係合される係合部と、
該係合部の上端部分に連続して設けられた略円形状の窪みであって、前記軸部を回動自在に保持可能な回動保持部と、
該回動保持部の内壁面に、前記軸部の回動範囲を、前記灰皿本体が前記第１状態となる回動位置から前記第２状態となる回動位置までの範囲内に規制するために突設した回動範囲規制部と、を備え、
前記灰皿本体を前記第１状態から前記第２状態に変換する場合、当該灰皿本体を前方斜め上方向に引き上げ、前記軸部が前記係合部から離脱させ前記回動保持部において手前側に回動させて前記軸部が前記回動範囲規制部に当接させ、
前記第１状態に復帰する場合、前記重り部材の付与する回動復帰力により当該灰皿本体が復帰回動し、前記軸部が前記係合部に進入して係合することで前記第１状態に復帰することを特徴とする遊技機。
【手続補正２】
【補正対象書類名】明細書
【補正対象項目名】０００５
【補正方法】変更
【補正の内容】
【０００５】
【課題を解決するための手段】
上記課題を解決するため、
請求項１記載の発明は、前面枠の下方に下部パネルを設け、該下部パネルに灰皿装置を取り付けた遊技機において、
前記灰皿装置は、
前記下部パネルに取り付けたベース部と、
該ベース部に、前方に突出した状態で取り付けた支持腕部と、
該支持腕部により左右両側から挟まれた状態で支持され、灰収納部側を上方に向けた第１状態と、前記灰収納部側を下方に向けた第２状態とに回動する灰皿本体と、から構成し、
該灰皿本体は、
左右両側方に突設し、前記第１状態において後方に向けて下り傾斜した板形状に形成した軸部と、
重心位置を設定するため当該灰皿本体の第１状態における底部に重り部材と、を備え、
前記支持腕部は、
その先端側に前記軸部を支持する軸受け部を形成し、
該軸受け部は、
後方に向けて下り傾斜した溝として形成され、前記灰皿本体が前記第１状態にて前記軸部が回動不能に係合される係合部と、
該係合部の上端部分に連続して設けられた略円形状の窪みであって、前記軸部を回動自在に保持可能な回動保持部と、
該回動保持部の内壁面に、前記軸部の回動範囲を、前記灰皿本体が前記第１状態となる回動位置から前記第２状態となる回動位置までの範囲内に規制するために突設した回動範囲規制部と、を備え、
前記灰皿本体を前記第１状態から前記第２状態に変換する場合、当該灰皿本体を前方斜め上方向に引き上げ、前記軸部が前記係合部から離脱させ前記回動保持部において手前側に回動させて前記軸部が前記回動範囲規制部に当接させ、
前記第１状態に復帰する場合、前記重り部材の付与する回動復帰力により当該灰皿本体が復帰回動し、前記軸部が前記係合部に進入して係合することで前記第１状態に復帰する構成とした。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
ここで、遊技機には、パチンコ遊技機、アレンジボール遊技機、雀球遊技機、等の弾球遊技機や、スロットマシン、パチスロなどが含まれる。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００３７
【補正方法】変更
【補正の内容】
【００３７】
なお、本発明はこの実施の形態のパチンコ遊技機に限られるものではなく、例えば、その他のパチンコ遊技機、アレンジボール遊技機、雀球遊技機などの弾球遊技機、或いはパチスロ遊技機、スロットマシン等にも適用可能である。また、この実施の形態では、支持腕部６０とベース部５０を別部材として構成したが、例えば、支持部５０Ａを一つの部材で一体に構成することも可能である。また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【手続補正１６】
【補正対象書類名】明細書
【補正対象項目名】００３８
【補正方法】変更
【補正の内容】
【００３８】
【発明の効果】
請求項１記載の発明によれば、灰収納部に溜まった灰や吸い殻の回収に際して、灰皿本体を第２状態に変換させた場合に、灰皿本体を第２状態から第１状態に戻す手間を省くことができ、吸い殻回収の作業効率を向上させることができる。
また、回動復帰力を付与し得る位置に灰皿本体の重心位置を設定したので、灰皿本体に回動復帰力を与えるための装置を別途設ける必要がない。従って、灰皿装置の部品点数を少なくすることができ、灰皿装置の製造コストを低減することができる。
また、第１状態から第２状態に至るまでの範囲に灰皿本体の回動範囲が規制されるので、灰収納部に溜まった灰や吸い殻の回収に際して、灰皿本体が必要以上に回動して灰や吸い殻が外部に飛び散ることを防止できる。従って、飛散した灰などで灰皿装置周辺が汚れたり、飛散した灰が遊技者の衣類に付着したりすることを防止でき、それが原因で遊技者に不快感を与えることを防止できる。
また、灰皿本体が第１状態時の回動位置にあるときに、灰皿本体の自重により、軸部の被係合部と軸受け部の係合部とが係合して、灰皿本体が回動不能に固定される構成としたので、当該灰皿装置を灰皿として使用しているときに、灰皿本体を安定した状態に保つことができ、使用中に誤って灰皿本体が回動することを防止できる。
【手続補正１７】
【補正対象書類名】明細書
【補正対象項目名】００３９
【補正方法】削除
【補正の内容】
【手続補正１８】
【補正対象書類名】明細書
【補正対象項目名】００４０
【補正方法】削除
【補正の内容】
【手続補正１９】
【補正対象書類名】明細書
【補正対象項目名】００４１
【補正方法】削除
【補正の内容】
【手続補正２０】
【補正対象書類名】明細書
【補正対象項目名】００４２
【補正方法】削除
【補正の内容】
【手続補正２１】
【補正対象書類名】明細書
【補正対象項目名】００４３
【補正方法】削除
【補正の内容】
【手続補正２２】
【補正対象書類名】図面
【補正対象項目名】図５
【補正方法】変更
【補正の内容】
【図５】
2002102497.tif 000001